(57)【要約】【課題】  任意の端末１から著作物の使用申し込みがあった場合に、著作権者の意に沿わない使用を防止できるとともに、登録されていない著作物を使用したい場合には、暫定的にその著作物を使用できるようにする。【解決手段】  サーバー３は、インターネット２を介して接続された任意の端末１から著作物の登録申し込みを受信したときに、その著作物の使用形態の条件が付加されている場合には、著作物および使用形態の条件を著作物データベース６に登録して、著作物データベース６に登録されている任意の著作物に対して、他の任意の端末１から使用の許諾申し込みが受信されたときは、許諾申し込みに係る著作物の使用形態が登録された使用形態の条件に適合するか又は不適合であるかを判定して、その判定結果に応じて許諾通知又は許諾不可通知を許諾申し込みの端末１に対して送信する。【選択図】  図１
2006127347.tif 000002
【特許請求の範囲】
【請求項１】
ネットワークを介して接続された任意の通信端末から申し込みを受信する受信手段と、
前記受信手段によって著作物の登録申し込みが受信されたときに、当該著作物の使用形態の条件が付加されている場合には、当該著作物および当該使用形態の条件を著作物データベースに登録する登録手段と、
前記受信手段によって前記著作物データベースに登録されている任意の著作物に対して使用の許諾申し込みが受信されたときは、当該許諾申し込みの著作物の使用形態が登録された使用形態の条件に適合するか又は不適合であるかを判定する判定手段と、
前記判定手段の判定結果に応じて許諾通知又は許諾不可通知を当該許諾申し込みの通信端末に対して送信する送信手段と、
を備えた著作権管理システム。
【請求項２】
前記登録手段は、前記受信手段によって著作物の登録申し込みの通信端末から受信された当該著作物の著作権者又は著作隣接権の権利者によるカテゴリの嗜好情報を前記登録申し込みの著作物の使用形態の条件として前記著作物データベースに登録することを特徴とする請求項１に記載の著作権管理システム。
【請求項３】
前記登録手段は、さらに前記カテゴリの嗜好情報として、前記受信手段によって著作物の登録申し込みの通信端末から受信された当該著作物の著作権者又は著作隣接権の権利者によるキーワードを前記登録申し込みの著作物の使用形態の条件として前記著作物データベースに登録することを特徴とする請求項２に記載の著作権管理システム。
【請求項４】
前記判定手段は、前記許諾申し込みの著作物の使用形態が登録された使用形態の条件に適合するか又は不適合であるかを判定できない場合には、当該著作物の登録申し込みの通信端末に対して前記許諾申し込みに係る使用形態を前記送信手段によって送信させ、前記受信手段によって受信された当該通信端末からの使用可能又は使用不可の回答を前記送信手段によって前記許諾申し込みの通信端末に対して送信させることを特徴とする請求項１に記載の著作権管理システム。
【請求項５】
前記登録手段は、前記受信手段によって著作権者および著作隣接権の権利者でない者から著作物の仮登録申し込みが受信されたときは、所定の期間の範囲内に限定して当該著作物を著作物データベースに仮登録し、当該仮登録申し込みの通信端末に対して使用許諾通知を前記送信手段によって送信させることを特徴とする請求項１に著作権管理システム。
【請求項６】
前記登録手段は、仮登録した著作物の著作権者又は著作隣接権の権利者から当該仮登録した著作物に対する使用禁止の通知を前記受信手段によって受信したときは、前記所定の期間にかかわらず当該仮登録を抹消し、当該仮登録した著作物の使用許諾通知を送信した通信端末に対して当該仮登録した著作物の抹消通知および使用不可通知を前記送信手段によって送信させることを特徴とする請求項５に記載の著作権管理システム。
【請求項７】
ネットワークを介して接続された任意の通信端末から申し込みを受信する第１のステップと、
前記第１のステップによって著作物の登録申し込みが受信されたときに、当該著作物の使用形態の条件が付加されている場合には、当該著作物および当該使用形態の条件を著作物データベースに登録する第２のステップと、
前記第１のステップによって前記著作物データベースに登録されている任意の著作物に対して使用の許諾申し込みが受信されたときは、当該許諾申し込みに係る著作物の使用形態が登録された使用形態の条件に適合するか又は不適合であるかを判定する第３のステップと、
前記第３のステップの判定結果に応じて許諾通知又は許諾不可通知を当該許諾申し込みの通信端末に対して送信する第４のステップと、
を実行する著作権管理のプログラム。
【請求項８】
前記第２のステップは、著作物の登録申し込みの通信端末から受信した当該著作物の著作権者又は著作隣接権の権利者によるカテゴリの嗜好情報を前記登録申し込みの著作物の使用形態として前記著作物データベースに登録することを特徴とする請求項７に記載の著作権管理のプログラム。
【請求項９】
前記第２のステップは、さらに前記カテゴリの嗜好情報として、前記著作物の登録申し込みの通信端末から受信した当該著作物の著作権者又は著作隣接権の権利者によるキーワードを前記登録申し込みの著作物の使用形態として前記著作物データベースに登録することを特徴とする請求項８に記載の著作権管理のプログラム。
【請求項１０】
前記第３のステップは、前記許諾申し込みの著作物の使用形態が登録された使用形態の条件に適合するか又は不適合であるかを判定できない場合には、当該著作物の登録申し込みの通信端末に対して前記許諾申し込みに係る使用形態を送信し、当該通信端末からの使用可能又は使用不可の回答を前記許諾申し込みの通信端末に対して送信することを特徴とする請求項７に記載の著作権管理のプログラム。
【請求項１１】
前記第２のステップは、著作権者および著作隣接権の権利者でない者から著作物の仮登録申し込みを受信したときは、所定の期間の範囲内に限定して当該著作物を著作物データベースに仮登録し、当該仮登録申し込みの通信端末に対して使用許諾通知を送信することを特徴とする請求項７に記載の著作権管理のプログラム。
【請求項１２】
前記第２のステップは、仮登録した著作物の著作権者又は著作隣接権の権利者から当該仮登録した著作物に対する使用禁止の通知を受信したときは、前記所定の期間にかかわらず当該仮登録を抹消し、当該仮登録した著作物の使用許諾通知を送信した通信端末に対して当該仮登録した著作物の抹消通知および使用不可通知を送信することを特徴とする請求項１１に記載の著作権管理のプログラム。
【発明の詳細な説明】
【技術分野】
【０００１】
本発明は、著作権管理システムおよび著作権管理のプログラムに関し、特に、ネットワークを介して接続された任意の通信端末から著作物の登録申し込みおよび登録されている著作物に対する使用許可の申し込みに対して著作物の管理を行う著作権管理システムおよび著作権管理のプログラムに関する。
【背景技術】
【０００２】
近年の通信インフラの著しい向上によって、インターネットなどのネットワークを介して様々なサイトのサーバーに接続して、そのサイトからのサービスを高速に享受できる環境が拡がってきている。享受できるサービスの中には、著作権の登録、検索、使用許諾などもある。このようなネットワークの整備によって、著作物を簡単に使用できる利点があるとともに、違法な使用が発生する可能性もある。
先行技術の中にも、著作物の使用の利便性を図るとともに、違法な使用を防止する提案がある。
例えば、著作物の使用権および認証機器管理方法の提案においては、著作物のネット配信において、著作物の保護を重視しながらも、著作物の使用権を所有する利用者が日常のほとんどの状況で柔軟に著作物を視聴できる環境を実現する。この提案によれば、例えば、ＰＣ、モバイル機器および不特定の端末機器の各々が認証機器管理サーバーの認証を受ける時は、管理サーバーは、登録会員がフル機能で利用できる機器を一台に限定し、登録会員が使用可能な機能を第三者と不正に共有できないよう管理することで、著作物の不正利用を防止するとともに、登録会員が使用権を所有する著作物をインターネット経由で何時でも視聴できる手段を提供する。（特許文献１参照）
また、音楽配信管理支援システムの提案においては、コンピュータネットワークを利用した音楽配信サービスを対象とした著作権管理業務を支援する。この提案によれば、コンピュータネットワーク上で音楽配信を行っているＷｅｂサイトを特定し、その特定したＷｅｂサイトが違法に音楽配信を行っているかどうかをＷｅｂページのＵＲＬを収集して判断し、違法に音楽配信を行っている場合には、そのＷｅｂサイトのアドレス宛てに、利用許諾を受けるように促す電子メールを送信する。そして、Ｗｅｂサイト上で利用許諾申し込みを受け付けて、Ｗｅｂサイト上で楽曲の利用報告を受け付け、楽曲の使用料を算出する。（特許文献２参照）
【特許文献１】特開２００２−３１４５３３号公報
【特許文献２】特開２００３−３３７５９０号公報
【発明の開示】
【発明が解決しようとする課題】
【０００３】
しかしながら、上記特許文献１および特許文献２においては、著作物の使用が許諾されたものであるか、又は、違法な使用であるかを判断するだけであるので、著作権者の意に沿わない使用をされた場合には、それが違法な使用でない限り使用を禁止することができなかった。一方、ある著作物に対して正式な使用許諾を受ける場合に、その著作権者が見つからない限り、その著作物を使用することができないという不具合があった。たとえ、その著作物が広く使用されている場合であっても、その著作権者が分からないことがある。その原因の１つとして、例えば、著作者が著作財産権の全部又は一部を譲渡したり、相続人が相続した場合には、著作権者と著作権者が別人になることが挙げられる。また、著作権の譲渡および相続以外に、著作物の実演家、レコード製作者、放送事業者には著作隣接権があるので、使用したい著作物の権利者の許諾を受ける手続き煩雑になることもある。
【０００４】
本発明は、このような従来の課題を解決するためのものであり、ネットワークを介して任意の端末装置から著作物の使用申し込みがあった場合に、著作権者の意に沿わない使用を防止するとともに、使用希望のある著作物の著作権者が分からない場合でも、暫定的にその著作物を使用できる体制を確立することを目的とする。
【課題を解決するための手段】
【０００５】
請求項１に記載の著作権管理システムは、ネットワーク（実施形態においては、図１のインターネット２に相当する）を介して接続された任意の通信端末（実施形態においては、図１の端末１に相当する）から申し込みを受信する受信手段（実施形態においては、図１のサーバー３に相当する）と、受信手段によって著作物の登録申し込みが受信されたときに、著作物の使用形態の条件が付加されている場合には、著作物および使用形態の条件を著作物データベース（実施形態においては、図１の著作物データベース６に相当する）に登録する登録手段（実施形態においては、図１のサーバー３に相当する）と、受信手段によって著作物データベースに登録されている任意の著作物に対して使用の許諾申し込みが受信されたときは、許諾申し込みの著作物の使用形態が登録された使用形態の条件に適合するか又は不適合であるかを判定する判定手段（実施形態においては、図１のサーバー３に相当する）と、判定手段の判定結果に応じて許諾通知又は許諾不可通知を許諾申し込みの通信端末に対して送信する送信手段（実施形態においては、図１のサーバー３に相当する）と、を備えた構成になっている。
【０００６】
請求項１の著作権管理システムにおいて、請求項２に記載したように、登録手段は、受信手段によって著作物の登録申し込みの通信端末から受信された著作物の著作権者又は著作隣接権の権利者によるカテゴリの嗜好情報を、登録申し込みの著作物の使用形態の条件として著作物データベースに登録するような構成にしてもよい。
【０００７】
請求項２の著作権管理システムにおいて、請求項３に記載したように、登録手段は、さらにカテゴリの嗜好情報として、受信手段によって著作物の登録申し込みの通信端末から受信された著作物の著作権者又は著作隣接権の権利者によるキーワードを、登録申し込みの著作物の使用形態の条件として著作物データベースに登録するような構成にしてもよい。
【０００８】
請求項１の著作権管理システムにおいて、請求項４に記載したように、判定手段は、許諾申し込みの著作物の使用形態が登録された使用形態の条件に適合するか又は不適合であるかを判定できない場合には、著作物の登録申し込みの通信端末に対して、許諾申し込みに係る使用形態を送信手段によって送信させ、受信手段によって受信された通信端末からの使用可能又は使用不可の回答を、送信手段によって許諾申し込みの通信端末に対して送信させるような構成にしてもよい。
【０００９】
請求項１の著作権管理システムにおいて、請求項５に記載したように、登録手段は、受信手段によって著作権者および著作隣接権の権利者でない者から、著作物の仮登録申し込みが受信されたときは、所定の期間（実施形態においては、三ヶ月に相当する）の範囲内に限定して著作物を著作物データベースに仮登録し、仮登録申し込みの通信端末に対して使用許諾通知を送信手段によって送信させるような構成にしてもよい。
【００１０】
請求項５の著作権管理システムにおいて、請求項６に記載したように、登録手段は、仮登録した著作物の著作権者又は著作隣接権の権利者から、仮登録した著作物に対する使用禁止の通知を受信手段によって受信したときは、所定の期間にかかわらず仮登録を抹消し、仮登録した著作物の使用許諾通知を送信した通信端末に対して、仮登録した著作物の抹消通知および使用不可通知を送信手段によって送信させるような構成にしてもよい。
【００１１】
請求項７に記載の著作権管理のプログラムは、ネットワーク（実施形態においては、図１のインターネット２に相当する）を介して接続された任意の通信端末（実施形態においては、図１の端末１に相当する）から申し込みを受信する第１のステップと、第１のステップによって著作物の登録申し込みが受信されたときに、著作物の使用形態の条件が付加されている場合には、著作物および使用形態の条件を著作物データベース（実施形態においては、図１の著作物データベース６に相当する）に登録する第２のステップと、第１のステップによって著作物データベースに登録されている任意の著作物に対して、使用の許諾申し込みが受信されたときは、許諾申し込みに係る著作物の使用形態が登録された使用形態の条件に適合するか又は不適合であるかを判定する第３のステップと、第３のステップの判定結果に応じて許諾通知又は許諾不可通知を許諾申し込みの通信端末に対して送信する第４のステップと、を実行する。
第１のステップないし第４のステップは、実施形態においては、図１のサーバー３によって実行される処理に相当する。
【００１２】
請求項７の著作権管理のプログラムにおいて、請求項８に記載したように、第２のステップは、著作物の登録申し込みの通信端末から受信した著作物の著作権者又は著作隣接権の権利者によるカテゴリの嗜好情報を、登録申し込みの著作物の使用形態として著作物データベースに登録するような構成にしてもよい。
【００１３】
請求項８の著作権管理のプログラムにおいて、請求項９に記載したように、第２のステップは、さらにカテゴリの嗜好情報として、著作物の登録申し込みの通信端末から受信した著作物の著作権者又は著作隣接権の権利者によるキーワードを、登録申し込みの著作物の使用形態として著作物データベースに登録するような構成にしてもよい。
【００１４】
請求項７の著作権管理のプログラムにおいて、請求項１０に記載したように、第３のステップは、許諾申し込みの著作物の使用形態が登録された使用形態の条件に適合するか又は不適合であるかを判定できない場合には、著作物の登録申し込みの通信端末に対して、許諾申し込みに係る使用形態を送信し、通信端末からの使用可能又は使用不可の回答を許諾申し込みの通信端末に対して送信するような構成にしてもよい。
【００１５】
請求項７の著作権管理のプログラムにおいて、請求項１１に記載したように、第２のステップは、著作権者および著作隣接権の権利者でない者から、著作物の仮登録申し込みを受信したときは、所定の期間（実施形態においては、三ヶ月に相当する）の範囲内に限定して著作物を著作物データベースに仮登録し、仮登録申し込みの通信端末に対して使用許諾通知を送信するような構成にしてもよい。
【００１６】
請求項１１の著作権管理のプログラムにおいて、請求項１２に記載したように、第２のステップは、仮登録した著作物の著作権者又は著作隣接権の権利者から、仮登録した著作物に対する使用禁止の通知を受信したときは、所定の期間にかかわらず仮登録を抹消し、仮登録した著作物の使用許諾通知を送信した通信端末に対して、仮登録した著作物の抹消通知および使用不可通知を送信するような構成にしてもよい。
【発明の効果】
【００１７】
本発明の著作権管理システムおよび著作権管理のプログラムによれば、ネットワークを介して任意の端末装置から著作物の使用申し込みがあった場合に、著作権者および著作隣接権の権利者の意に沿わない使用を防止できるという効果、および、使用希望のある著作物の著作権者が分からない場合でも、暫定的にその著作物を使用できるできるという効果が得られる。
【発明を実施するための最良の形態】
【００１８】
以下、本発明による著作権管理システムの実施形態について、図を参照して説明する。
図１は、実施形態における著作権管理システムの構成を示す図である。複数の端末１はパソコンなどの情報処理装置であり、インターネット２を介して世界万物著作権協会サイト（以下、「協会サイト」と称する）に接続して、協会サイトのサーバー３との間において種々のデータ要求やその要求に応じたデータの送受信を行なう。なお、図には示していないが、各端末１およびサーバー３は、ＣＰＵ、プログラムＲＯＭ、ワークＲＡＭ、表示部、操作部、通信部などで構成されている。さらに、サーバー３は、システムバスによって、著作権登録会員データベース（ＤＢ）４、使用会員データベース５、著作物データベース６、および、許諾データベース７に接続されている。
【００１９】
次に、著作権登録会員データベース４、使用会員データベース５、著作物データベース６に保管されるデータの内容について、図２を参照して説明する。
著作権登録会員データベース４には、図２（Ａ）に示すように、登録された著作権会員（１）〜（Ｎ）ごとに、ＩＤ、パスワード、プロフィールデータ、キーワードデータが登録されている。
使用会員データベース５にも、図２（Ｂ）に示すように、ＩＤ、パスワード、プロフィールデータ、キーワードデータが登録されている。
著作物データベース６には、図２（Ｃ）に示すように、ＩＤ、著作権者ＩＤを含むプロフィールデータ、および、複数種類のカテゴリごとにその使用形態が登録されている。
【００２０】
次に、図１の端末１の動作について、図３ないし図１４のフローチャート、および、図１５ないし図４６の表示画面に基づいて説明する。
図３において、所定のイニシャライズ(ステップＳＡ１)の後、メニュー画面を表示する(ステップＳＡ２)。メニュー画面には、協会サイトやその他のサイトを選択する選択メニューを表示する。そして、協会サイトが選択されたか否かを判別し（ステップＳＡ３）、協会サイトが選択されず、その他のサイトが選択されたときは、その選択サイトにおける処理を行って（ステップＳＡ４）、ステップＳＡ３に移行して協会サイトの選択の有無を判別する。
【００２１】
協会サイトが選択されたときは、協会サイトに接続する処理を行い（ステップＳＡ５）、接続が確立したときは、サーバー３から受信した協会サイトの初期画面を表示する（ステップＳＡ６）。協会初期画面には、図１５に示すように、著作物に対する登録や検索の選択アイコンとして「著作権会員登録」１０１、「使用会員登録」１０２、「著作物登録」１０３、「著作物検索」１０４、「支払申請」１００を表示するとともに、ＩＤとパスワードの入力エリアを表示する。この初期画面において、「著作権会員登録」１０１が選択されたか否かを判別する(ステップＳＡ８)。このアイコンが選択されない場合には、「使用会員登録」１０２が選択されたか否かを判別する (ステップＳＡ９)。「著作権会員登録」１０１又は「使用会員登録」１０２が選択されたときは、いずれも会員登録処理を実行する（ステップＳＡ１０）。「使用会員登録」１０２が選択されない場合には、「支払申請」１００が選択されたか否かを判別する (ステップＳＡ１１)。「支払申請」１００が選択されたときは、支払申請処理を実行する（ステップＳＡ１２）。会員登録処理又は支払申請処理を実行した後は、ステップＳＡ２に移行してメニュー画面を表示する。
【００２２】
ステップＳＡ１１において「支払申請」１００が選択されない場合には、図４において「著作物登録」１０４が選択されたか否かを判別し（ステップＳＡ１３）、このアイコンが選択されたときは著作物登録処理を実行する（ステップＳＡ１４）。「著作物登録」１０４が選択さない場合には、「著作物検索」１０５が選択されたか否かを判別する（ステップＳＡ１５）。このアイコンが選択されたときは、著作物検索処理を実行する（ステップＳＡ１６）。著作物登録処理又は著作物検索処理を実行した後は、図３のステップＳＡ２に移行してメニュー画面を表示する。「著作物検索」１０５が選択されない場合には、ＩＤおよびパスワードが入力されたか否かを判別する（ステップＳＡ１７）。ＩＤおよびパスワードが入力されたときはワークＲＡＭにストアする（ステップＳＡ１８）。ＩＤおよびパスワードが入力されない場合、すなわち、図１５の初期画面において選択操作も入力操作もされない場合、又は、ＩＤおよびパスワードをストアした後は、図３のステップＳＡ３に移行して選択操作を待つ。
【００２３】
図５は、図３のステップＳＡ１０における著作会員又は使用会員の会員登録処理のフローチャートである。まず、同意画面要求をサーバー３に送付し（ステップＳＢ１）、サーバー３から同意画面を受信して（ステップＳＢ２）、その同意画面を表示する（ステップＳＢ３）。同意画面には、図１６にを示すように、世界万物著作権協会の会員規約を表示するとともに、選択アイコンとして「同意する」１０５および「同意しない」１０６を表示する。この画面において、「同意する」１０５が選択されたか否かを判別し（ステップＳＢ４）、このアイコンが選択されたときは、同意の旨をサーバー３に送付し（ステップＳＢ５）、登録画面を受信して（ステップＳＢ６）、その登録画面を表示する（ステップＳＢ７）。
【００２４】
登録画面には、図１７に示すように、登録者の住所、名前、年令、生年月日、性別、電話番号、確認メールアドレス、および希望パスワード、ＩＤからなるプロフィールデータを入力する各エリアと、選択アイコンとして「次へ」１０７および「退出」１０８を表示する。この登録画面において、プロフィールデータが入力されたか否かを判別し（ステップＳＢ８）、プロフィールデータが入力されたときは、そのデータを対応するエリアに表示するとともに、ワークＲＡＭの送信バッファに一時的にストアする（ステップＳＢ９）。そして、「次へ」１０７が選択されたか否かを判別し（ステップＳＢ１０）、このアイコンが選択されたときは「次へ」のコマンドをサーバー３に送付する（ステップＳＢ１１）。「次へ」１０７が選択されない場合には、「退出」１０８が選択されたか否かを判別する（ステップＳＢ１２）。このアイコンが選択されない場合には、ステップＳＢ８においてプロフィールデータが入力されたか否かを判別するが、「退出」１０８が選択されたときは、メインルーチンに戻る。ステップＳＢ４において「同意する」１０５が選択されない場合には、「同意しない」１０６が選択されたか否かを判別し（ステップＳＢ１３）、このアイコンが選択されたときは、メインルーチンに戻る。
【００２５】
ステップＳＢ１１において、「次へ」のコマンドを送付した後は、図６において、第２登録画面を受信して（ステップＳＢ１４）、その第２登録画面を表示する（ステップＳＢ１５）。第２登録画面には、図１８に示すように、著作権者又は著作隣接権の権利者が自分の著作物について使用されたくない使用態様を拒否するために、使用形態のカテゴリの嗜好情報として、「暴力的なもの」、「差別的なもの」、「破壊的なもの」などの不適当なカテゴリを表示したエリアＣＴＧ１を表示する。また、拒否するキーワードを入力して表示するエリアＫＷ１がある。これと対照に、適当なカテゴリを表示するエリアＣＴＧ２を表示し、それに適したキーワードを入力して表示するエリアＫＷ２を表示する。そして、使用を拒否するために登録したいカテゴリの嗜好を選択する旨、登録されたカテゴリだけが許諾時に有効で、登録されていないカテゴリは自動的に許諾される旨のメッセージを表示する。また、不適当なカテゴリのエリアＣＴＧ１と適当なカテゴリのエリアＣＴＧ２との間において、カテゴリの移動ができる旨のメッセージを表示する。さらに、信託契約へ進ための選択アイコンとして「信託契約画面へ」１０９を表示する。
【００２６】
図６のフローにおいて、キーワードが入力されたか否かを判別し（ステップＳＢ１６）、入力されたときはそのキーワードを表示するとともに、ワークＲＡＭにストアする（ステップＳＢ１７）。入力キーワードを表示した後、又は、キーワードが入力されない場合には、カテゴリが選択されたか否かを判別する（ステップＳＢ１８）。カテゴリが選択されない場合には、信託契約画面のアイコンが選択されたか否かを判別する（ステップＳＢ１９）。カテゴリが選択されたときは、そのカテゴリをサーバー３に送付し（ステップＳＢ２０）、カテゴリ画面を受信して（ステップＳＢ２１）、そのカテゴリ画面を表示する（ステップＳＢ２２）。
【００２７】
例えば、「暴力的」のカテゴリを送付した場合には、受信して表示したカテゴリ画面には、図１９に示すように、「暴力的」のカテゴリにおいて、追加又は削除するためのキーワードのエリアＫＷを表示する。また、選択アイコンとして、「他のカテゴリの登録／戻る」１１０および「信託契約画面へ」１１１を表示する。そして、キーワードを変更する手順のメッセージを表示する。この画面において、キーワードの追加又は削除がされたか否かを判別し(ステップＳＢ２３)、追加又は削除の操作がされたときは、表示されているキーワードを変更する（ステップＳＢ２４）。そして、訂正されたキーワードをワークＲＡＭの一時的にストアする（ステップＳＢ２５）。次に、他のカテゴリが選択されたか否かを判別し（ステップＳＢ２６）、他のカテゴリが選択されたときは、ステップＳＢ１５に移行して第２登録画面を表示する。
【００２８】
ステップＳＢ２６において他のカテゴリが選択されない場合には、図７のフローにおいて、「信託契約画面へ」１１１が選択されたか否かを判別する（ステップＳＢ２７）。このアイコンが選択されたとき、又は、図６のフローのステップＳＢ１９において、図１８の画面の「信託契約画面へ」１０９が選択されたときは、図７のフローのステップＳＢ２８に移行して、信託契約画面要求をサーバー３に送付する。そして、信託契約画面を受信して（ステップＳＢ２９）、その信託契約画面を表示する（ステップＳＢ３０）。信託契約画面には、図２０に示すように、著作権信託契約同意書を表示し、信託契約を行った場合の契約料その他の支払をするための金融機関の口座番号を表示する。また、選択アイコンとして「同意する」１１２および「戻る」１１３を表示する。
【００２９】
この画面において、同意するアイコン１１２が選択されたか否かを判別し（ステップＳＢ３１）、このアイコンが選択されない場合には、戻るアイコン１１３すなわち不同意のアイコンが選択されたか否かを判別する（ステップＳＢ３２）。不同意のアイコンが選択されたときは、図５のフローのステップＳＢ３に移行して、図１６に示した会員登録の同意画面を表示する。一方、同意するアイコン１１２が選択されたときは、サーバー３に対して同意信号を送付し（ステップＳＢ３３）、契約確定画面を受信して（ステップＳＢ３４）、その契約確定画面を表示する（ステップＳＢ３５）。契約確定画面には、図２１に示すように、契約が確定した旨のメッセージを表示するとともに、トップ画面より著作物を登録する旨のメッセージを表示する。また、トップ画面に戻るためのアイコン「トップへ」１１４を表示する。
【００３０】
この画面において、トップへのアイコン１１４が選択されたか否かを判別し（ステップＳＢ）、このアイコンが選択されたときは、図５のステップＳＢ３に移行して、図１６に示した会員登録の同意画面を表示する。一方、図１８に示したカテゴリ選択の画面、又は、図１９に示したキーワード変更の画面において、図７のステップＳＢ２７で信託契約画面へのアイコンが選択されない場合には、図６のステップＳＢ２３に移行して、キーワードの追加又は削除がされたか否かを判別する。
【００３１】
図８ないし図１０は、図４のメインルーチンにおけるステップＳＡ１４の著作物登録処理のフローチャートである。
図８において、ＩＤおよびパスワードが入力済みか否かを判別し（ステップＳＤ１）、入力済みでない場合にはこのフローを終了するが、入力済みである場合には、ＩＤおよびパスワードとともに登録要求をサーバー３に送付する（ステップＳＤ２）。そして、登録ページを受信したか否かを判別し（ステップＳＤ３）、受信したときは登録ページを表示する（ステップＳＤ４）。登録ページには、図２２に示すように、著作物カテゴリの選択を促すメッセージするとともに、音楽、音、文章、画像などのカテゴリを表示する。また、選択アイコンとして「登録終わり」１１５を表示する。
【００３２】
この画面において、カテゴリが選択されたか否かを判別し（ステップＳＤ５）、選択されない場合には、「登録終わり」１１５が選択されたか否かを判別する（ステップＳＤ６）。カテゴリが選択された場合には、登録カテゴリを送付する（ステップＳＤ７）。そして、著作物登録画面を受信して（ステップＳＤ８）、その著作物登録画面を表示する（ステップＳＤ９）。ステップＳＤ３において登録ページを受信しない場合には、仮登録ページを受信したか否かを判別する（ステップＳＤ１０）。仮登録については後述する。
【００３３】
サーバー３から受信して表示した著作物登録画面には、図２３に示すように著作物が音楽で曲、歌詞、又はその両方である場合、図２４に示すように著作物が画像や動画である場合、図２５に示すように著作物が人物や役者である場合があるが、いずれも作品名、著作者などのプロフィールデータを入力するエリアを表示するとともに許諾の条件を例示する。また、選択アイコンとして「追加登録」１１６、「カテゴリに戻る」１１７を表示する。著作物登録画面を表示した後は、図９のフローに移行し、この著作物登録画面においてプロフィールデータが入力されたか否かを判別する（ステップＳＤ１７）。プロフィールデータが入力されたときは、入力データを画面の対応するエリアに表示する（ステップＳＤ１８）。次に、使用形態が追加又は削除されたか否かを判別し（ステップＳＤ１９）、追加又は削除されたときはその使用形態を変更表示する（ステップＳＤ２０）。また、著作物のデータが添付される操作がされたか否かを判別し（ステップＳＤ２１）、この操作がされたときは、その著作物データを添付する（ステップＳＤ２２）。
【００３４】
次に、追加登録のアイコン１１６が選択されたか否かを判別し（ステップＳＤ２３）、このアイコンが選択されない場合には、ステップＳＤ１７に移行してプロフィールデータの入力を判別するが、このアイコンが選択されたときは、著作物登録要求、選択カテゴリ、プロフィールデータ、および使用形態を送付する（ステップＳＤ２４）。次に、終了画面を受信し（ステップＳＤ２５）、受信した終了画面を表示する（ステップＳＤ２６）。終了画面には、図２６に示すように、著作物が登録された旨、登録受付の確認と著作物番号をメールした旨のメッセージ、および著作物番号を表示する。また、選択アイコンとして「トップへ」１１４を表示する。この画面において、トップへのアイコン１１４が選択されたか否かを判別し（ステップＳＤ２７）、このアイコンが選択されたときは、図８のステップＳＤ４に移行して登録ページを表示する。
【００３５】
登録会員が使用会員登録の場合には、上記したように、図５ないし図７に示した著作権会員登録の場合と全く処理を行うが、端末１の表示部に表示される画面は著作権会員登録の場合とは異なる。図２７は使用会員の同意画面であり、図１に示した著作権会員登録の同意画面とほぼ同じであるが、著作物の使用に関して許諾判断をカテゴリの嗜好に基づいて行う旨のメッセージは当然のことながら含まれていない。使用会員の規約に同意した場合には、図２８に示す登録画面を受信して表示するが、この画面で選択アイコン「次へ」１０７は表示されるが、図１７に示した登録画面における「退出」は表示されない。使用会員の場合には、著作権会員と違って著作物の使用を協会に信託する負荷を負うことがないので、退出は必要ないからである。
【００３６】
図２９は使用会員の第２登録画面である。この画面において、使用形態として不適当なカテゴリを選択するエリアＣＴＧ１、適したカテゴリを選択するエリアＣＴＧ２、および、それぞれのキーワードを入力するエリアＫＷ１、ＫＷ２については、図１８に示した著作権会員の画面と同じであるが、使用会員の場合には著作物の許諾に関するメッセージは当然に表示されない。
【００３７】
図３０は使用会員のカテゴリ画面である。この画面において、カテゴリの入力エリアＫＷおよび「他のカテゴリの登録／戻る」の選択アイコン１１８は、図１９に示した著作権会員の画面と同じであるが、著作物の許諾に関するメッセージは表示されない。また、著作権会員の画面における「信託契約画面へ」のアイコンの代わりに「基本使用契約画面へ」のアイコン１１９を表示する。
【００３８】
図３１は使用基本契約画面である。著作物の使用基本契約の同意書を表示し、図２０に示した著作権会員の画面と同様に、選択アイコンとして「同意する」１１２、「戻る」１１３を表示する。また、使用会員の場合には、使用回数に応じて料金が決まるので、著作権会員の場合とは支払体系が異なる。したがって、使用基本契約画面には協会の金融機関の口座番号は表示されない。
【００３９】
図３２は使用会員の終了画面である。この画面には、契約が確定したので、トップ画面において使用したい著作物を検索調査し、許諾の可否を確認する旨のメッセージを表示する。また、選択アイコンとして「トップへ」１１４を表示する。
【００４０】
図１１ないし図１３は、使用会員の端末１で実行される著作物検索処理のフローチャートである。図１１において、まず、ＩＤおよびパスワードが入力済みか否かを判別し（ステップＳＥ１）、入力済みでない場合にはこのフローを終了するが、入力済みの場合にはＩＤおよびパスワードとともに検索要求を送付する（ステップＳＥ２）。そして、カテゴリ選択画面を受信して（ステップＳＥ３）、受信したカテゴリ選択画面を表示する（ステップＳＥ４）。カテゴリ画面には、図３３に示すように、音楽、音、文章、画像などのカテゴリを表示し、選択アイコンとして「検索終わり」１２０を表示する。
【００４１】
次に、カテゴリが選択されたか否かを判別し（ステップＳＥ５）、選択されない場合には、検索終わりのアイコンが選択されたか否かを判別する（ステップＳＥ６）。カテゴリが選択されたときは、その検索カテゴリを送付し（ステップＳＥ７）、検索画面を受信して（ステップＳＥ８）、受信した検索画面を表示する（ステップＳＥ９）。検索画面には、図３４に示すように、選択されたカテゴリを表示し、作品名や著作物番号などのプロフィールデータを入力するエリアを表示する。また、選択アイコンとして「検索開始」１２１を表示する。
【００４２】
この画面において、プロフィールデータが入力されたか否かを判別し（ステップＳＥ１０）、入力されたときは、その入力データを表示する（ステップＳＥ１１）。そして、検索開始のアイコンがオンされたか否かを判別する（ステップＳＥ１２）。このアイコンがオンでない場合には、ステップＳＥ１０においてプロフィールデータの入力を判別する。検索開始のアイコンがオンされたときは、図１２のフローにおいて、検索データを送付する（ステップＳＥ１３）。そして、検索結果画面を受信して（ステップＳＥ１４）、受信した検索結果画面を表示する（ステップＳＥ１５）。例えば、音楽の検索結果画面には、図３５に示すように、作品名、著作番号、作曲者、作詞者、アーティスト、権利者を表示するとともに、その音楽を使用する使用形態の項目を表示する。使用形態の中で、「○」マークのものは使用可能であり、「△」マークのものは作家の適合判断になり、「×」マークのものは許諾不可である。また、選択アイコンとして「許諾願い」１２２を表示する。
【００４３】
この画面において、使用形態が選択された場合（ステップＳＥ１６）、許諾願いのアイコンがオンされたか否かを判別する（ステップＳＥ１７）。このアイコンが選択されたときは、その使用形態のマークが「○」であるか否かを判別する（ステップＳＥ１８）。マークが「○」である場合、例えば、図３５の画面で使用形態が「演奏−コンサート・カメラ・映画上映など」である場合には、その使用形態を送付する（ステップＳＥ１９）。そして、許諾結果画面を受信して（ステップＳＥ２０ａ）、受信した許諾結果画面を表示する（ステップＳＥ２０ｂ）。
【００４４】
許諾結果画面には、図３６に示すように、許可願いがされた著作物の作品名、著作番号、作曲者、作詞者、アーティスト、権利者のプロフィールデータとともに、送付した使用形態を表示する。また、使用許諾書はメールで送信した旨のメッセージを表示する。また、選択アイコンとして「戻る」１１３を表示する。このアイコンがオンされたか否かを判別し（ステップＳＥ２１）、オンされたときは、図１１のステップＳＥ４に移行して図３３のカテゴリ画面を表示する。図３３のカテゴリ画面において、ステップＳＥ６で検索終了のアイコンが選択されたときはメインルーチンに戻る。
【００４５】
図１２のステップＳＥ１８において、使用形態のマークが「○」でない場合には、マークが「△」であるか否かを判別する（ステップＳＥ２２）。マークが「△」である場合、例えば、図３５の画面において、使用形態が「ＣＭ−コマーシャル放送用録音」である場合には、使用形態許諾願いを送付し（ステップＳＥ２３）、適正判断画面を受信して（ステップＳＥ２４）、受信した適正判断画面を表示する（ステップＳＥ２５）。適正判断画面には、図３７に示すように、許可願いがされた著作物の作品名、著作番号、作曲者、作詞者、アーティスト、権利者のプロフィールデータとともに、許諾できるかどうかの判断材料として、放送のキューシートと作品の内容を添付するメッセージを表示する。また、選択アイコンとして「適正判断開始」１２４を表示する。なお、キューシートとは、放送の進行用に作成されたタイムテーブルである。したがって、キューシートによってＣＭ放送の時間帯や放送内容が分かる。
【００４６】
図１３のフローにおいて、判断材料が添付された場合（ステップＳＥ２６）、適正判断開始のアイコンが選択されたか否かを判別する（ステップＳＥ２７）。このアイコンが選択されたときは、添付した判断材料と判断要求をサーバー３に送付する（ステップＳＥ２８）。この後、サーバー３から受信があるか否かを判別し（ステップＳＥ２９）、受信があったときは、その受信した内容が許諾可能であるか否かを判別する（ステップＳＥ３０）。許諾可能である場合には、許諾可能画面を表示する（ステップＳＥ３１）。許諾可能画面には、図３８に示すように、許可願いがされた使用形態、著作物の作品名、著作番号、作曲者、作詞者、アーティスト、権利者のプロフィールデータとともに、図３７の画面において添付されたキューシートおよび作品の内容を表示し、適正であるために許諾する旨のメッセージを表示する。また、選択アイコンとして、「検索ページへ戻る」１２５、「許可願い」１２２を表示する。
【００４７】
この画面において、許諾願いのアイコンが選択されたか否かを判別し（ステップＳＥ３２）、このアイコンが選択されない場合には、検索ページへ戻るのアイコンが選択されたか否かを判別する（ステップＳＥ３３）。許諾願いのアイコンが選択されたときは、許諾願い要求を送付し（ステップＳＥ３４）、許諾画面を受信して（ステップＳＥ３５ａ）、受信した許諾画面を表示する（ステップＳＥ３５ｂ）。許諾画面には、図３９に示すように、許可願いがされた使用形態、著作物の作品名、著作番号、作曲者、作詞者、アーティスト、権利者のプロフィールデータとともに、図３７の画面において添付されたキューシートおよび作品の内容を表示し、許諾書をメールで送信した旨のメッセージを表示する。また、選択アイコンとして、「検索ページへ戻る」１２５、「トップへ」１１４を表示する。この画面において、トップへのアイコンが選択されたか否かを判別し（ステップＳＥ３６）、このアイコンが選択されない場合には、検索ページへ戻るアイコンが選択されたか否かを判別する（ステップＳＥ３７）。
【００４８】
一方、図１３のステップＳＥ３０において許諾可能でない場合には、不許可画面を表示する（ステップＳＥ３８）。不許可画面には、図４０に示すように、許可願いがされた使用形態、著作物の作品名、著作番号、作曲者、作詞者、アーティスト、権利者のプロフィールデータとともに、図３７の画面において添付されたキューシートおよび作品の内容を表示し、作家の人格権に対して不適正のため許諾できないなどのメッセージを表示する。また、選択アイコンとして、「検索ページへ戻る」１２５を表示する。この画面において、検索ページへ戻るアイコンが選択されたか否かを判別する（ステップＳＥ３９）。
【００４９】
図３８の許諾可能画面、図３９の許諾通知の画面、又は図４０の不許可画面において、検索ページへ戻るアイコンが選択された場合には、図１２のステップＳＥ１５に移行して、検索結果画面を表示する。図１３のステップＳＥ３６において、トップへのアイコンが選択された場合には、図１１のステップＳＥ４に移行して、図３３のカテゴリ選択画面を表示する。このカテゴリ選択画面において、検索終わりのアイコンが選択された場合には、メインルーチンに戻る。
【００５０】
次に、著作物仮登録の処理について、図８および図１０のフローチャート、図４１ないし図４４の表示画面を参照して説明する。仮登録とは、権利者が分からない著作物を使用したい会員が、その著作物を暫定的に登録する本発明の特徴的なシステムである。図８のステップＳＤ１０において、仮登録ページを受信したときは、受信した仮登録ページを表示する（ステップＳＤ１１）。著作物仮登録の画面には、図４１に示すように、仮登録する著作物のカテゴリの選択を促すメッセージを表示するとともに、選択するカテゴリを例示する。また、選択アイコンとして「仮登録終わり」１２８を表示する。
【００５１】
この画面において、仮登録についてのカテゴリが選択されたか否かを判別する（ステップＳＤ１２）。カテゴリが選択された場合には、その仮登録カテゴリを送付する（ステップＳＤ１３）。そして、著作物仮登録画面を受信して（ステップＳＤ１４）、受信した著作物仮登録画面を表示する（ステップＳＤ１５）。
仮登録する著作物が音楽の場合には、その仮登録画面には、図４２に示すように、著作物の作品名、および、権利者は分からないが著作者が分かっている場合には、曲の著作者、歌詞の著作者などのプロフィールデータを入力するエリアを表示する。また、使用形態のリストを例示して、自動的に許諾する使い方以外は消去する旨、および、リストにない使用形態については、不適の使用形態とマッチング（照合）した上で許諾する旨を表示する。さらに、選択アイコンとして「追加仮登録」１２７、「カテゴリを選択に戻る」１２８を表示する。
仮登録する著作物が画像や動画の場合には、その仮登録画面には、図４３に示すように、著作物のプロフィールデータを入力するエリア、使用形態のリスト、選択アイコンである「追加仮登録」１２７、「カテゴリを選択に戻る」１２８を表示する。
仮登録する著作物が人物や役者の場合、例えば、著名な人間の写真の場合には、権利者はカメラマンであると思われるが、権利者が分からない場合には、使用したい会員は仮登録ができる。その仮登録画面には、図４４に示すように、著作物のプロフィールデータを入力するエリア、使用形態のリスト、選択アイコンである「追加仮登録」１２７、「カテゴリを選択に戻る」１２８を表示する。
【００５２】
次に図１０のフローに移行し、図４２、図４３、又は図４４の画面において、著作物仮登録のプロフィールデータが入力されたか否かを判別する（ステップＳＤ２８）。プロフィールデータが入力されたときは、入力データを画面の対応するエリアに表示する（ステップＳＤ２９）。また、使用形態が追加又は削除されたか否かを判別し（ステップＳＤ３０）、追加又は削除されたときはその使用形態を変更表示する（ステップＳＤ３１）。また、著作物のデータが添付されたか否かを判別し（ステップＳＤ３２）、添付されたときは、その著作物データを添付する（ステップＳＤ３３）。
【００５３】
次に、仮登録のアイコンが選択されたか否かを判別し（ステップＳＤ３４）、このアイコンが選択されない場合には、ステップＳＤ２８に移行してプロフィールデータの入力を判別するが、このアイコンが選択されたときは、著作物仮登録要求、選択カテゴリ、プロフィールデータ、および使用形態を送付する（ステップＳＤ３５）。次に、終了画面を受信し（ステップＳＤ３６）、図２６に示したように、受信した終了画面を表示する（ステップＳＤ３７）。この画面において、トップへのアイコン１１４が選択されたか否かを判別し（ステップＳＤ３８）、このアイコンが選択されたときは、図８のステップＳＤ１１に移行して仮登録ページを表示する。
【００５４】
図４２、図４３、又は図４４の画面において、カテゴリに戻るアイコンが選択されたときは、図４１のカテゴリ選択の画面に戻る。一方、追加仮登録のアイコンが選択されたときは、著作物仮登録要求、選択カテゴリ、プロフィールデータ、および使用形態をサーバー３に対して送付する。そして、著作物の仮登録画面を受信すると、図４５に示す著作物仮登録画面を表示する。この画面には、登録受付の確認と著作物番号をメールで送付した旨のメッセージを表示する。また、選択アイコンとして「トップへ」１１４を表示する。このアイコンが選択されたときは、図４１の仮登録画面に戻る。
【００５５】
図１４は、図３のメインルーチンにおけるステップＳＡ１２の支払申請処理のフローチャートである。まず、ＩＤおよびパスワードが入力済みであるか否かを判別し（ステップＳＦ１）、入力済みでない場合にはこのフローを終了するが、入力済みの場合には、ＩＤおよびパスワード、支払申請をサーバー３に送付する（ステップＳＦ２）。そして、サーバー３から支払申請画面を受信して（ステップＳＦ３）、受信した支払申請画面を表示する（ステップＳＦ４）。
【００５６】
支払申請画面には、図４６に示すように、許諾を行った著作物のリストに必要事項を記入して申請することを促すメッセージを表示し、その著作物のリスト１２９を表示する。著作物のリストには、前回の支払後に使用された著作物についての著作物番号、著作物名称、権利者名、および使用形態のデータを表示する。また、使用者が入力すべきチケット料などの回数基準額、単発料金、およびイベント経費などの一括基準額の必要項目のエリアを表示し、計算によって求める使用料のエリアを表示する。また、選択アイコンとして、「戻る」１３０、「計算、確認する」１３１、「登録および請求書発行」１３２を表示する。この画面において、必要項目が入力されたか否かを判別し（ステップＳＦ５）、入力されたときは入力データを表示する（ステップＳＦ６）。
【００５７】
次に、計算、確認するのアイコンが選択されたか否かを判別し（ステップＳＦ７）、このアイコンが選択されたときは、各データの使用料および合計を計算して結果を表示する（ステップＳＦ９）。そして、ステップＳＦ５に戻り、必要項目が入力されたか否かを判別する。すなわち、必要項目が入力されるごとに合計を計算して結果を表示する。このアイコンが選択されない場合には、戻るアイコンが選択されたか否かを判別し（ステップＳＦ１０）、このアイコンが選択されたときはメインルーチンに戻る。このアイコンが選択されない場合には、登録および請求書発行のアイコンが選択されたか否かを判別し（ステップＳＦ１１）、このアイコンが選択されたときは、必要項目が記入されて使用料の合計額である申請データをサーバー３に対して送付する（ステップＳＦ１２）。
【００５８】
次に、協会サイトにおける動作について、サーバー３が実行するフローチャートおよび許諾データベース７のデータを参照して説明する。まず、著作会員登録の処理について、図４７ないし図５３を参照して説明する。
図４７は、サイト接続処理のフローチャートである。インターネット２を介して任意の端末１からの協会サイトへのアクセスにより接続が確立したときは、図１５に示した協会の初期画面を送付する（ステップＳＧ１）。
図４８は、同意画面要求処理のフローチャートである。著作会員の端末１から著作会員登録の同意画面要求を受信したときは、図１６に示した著作会員用の同意画面を送付する（ステップＳＧ２）。
図４９は、著作会員の同意受信処理のフローチャートである。著作会員の端末１から著作権会員としての同意を受信したときは、図１７に示した著作権会員用の登録画面を送付する（ステップＳＧ３）。
図５０は、第２登録画面処理のフローチャートである。著作会員の端末１から「次へ」のコマンドを受信したときは、図１８に示した著作権会員に対する第２登録画面を送付する（ステップＳＧ４）。
図５１は、カテゴリ受信処理のフローチャートである。著作会員の端末１から著作権会員によるカテゴリの嗜好情報を受信したときは、図１９に示した対応するカテゴリ画面を送付する（ステップＳＧ５）。
図５２は、信託契約画面要求処理のフローチャートである。著作会員の端末１から著作権会員としての信託契約画面要求を受信したときは、図２０に示した著作権会員用の信託契約画面を送付する（ステップＳＧ６）。
図５３は、著作会員に対する契約同意などの受信処理のフローチャートである。著作会員の端末１から著作会員として契約同意、プロフィール、キーワードを受信したときは、著作権登録会員データベース４に空きエリアを確保して（ステップＳＧ７）、ＩＤおよびパスワードを作成する（ステップＳＧ８）。次に、ＩＤ、パスワード、プロフィール、キーワードをメール送信バッファにストアして（ステップＳＧ１０）、メールを送信する（ステップＳＧ１１）。また、図２１に示した著作権会員として契約された旨の契約確定画面を送付する（ステップＳＧ１２）。
【００５９】
次に、使用会員登録の処理について、図５４ないし図５９を参照して説明する。
図５４は、サイト接続処理のフローチャートである。インターネット２を介して任意の端末１からの協会サイトへのアクセスにより接続が確立したときは、図１５に示した協会の初期画面を送付する（ステップＳＨ１）。
図５５は、使用者会員の同意画面要求処理のフローチャートである。使用者会員の端末１から使用者会員としての同意画面要求を受信したときは、図２７に示した使用者会員用の同意画面を送付する（ステップＳＨ２）。
図５６は、使用会員の同意受信処理のフローチャートである。使用者会員の端末１から使用会員としての同意を受信したときは、図２８に示した使用会員用の会員登録画面を送付する（ステップＳＨ３）。
図５７は、使用会員の第２登録画面処理のフローチャートである。使用会員の端末１から「次へ」のコマンドを受信したときは、図２９に示した使用会員用の第２登録画面を送付する（ステップＳＨ４）。
図５８は、使用会員のカテゴリ受信処理のフローチャートである。使用者会員の端末１から使用会員のカテゴリを受信したときは、図３０に示した対応する使用会員用のカテゴリ画面を送付する（ステップＳＨ５）。
図５９は、使用会員の信託契約画面要求処理のフローチャートである。使用会員の端末１から使用会員としての信託契約画面要求を受信したときは、図３１に示した使用会員用の信託契約画面を送付する（ステップＳＨ６）。
図６０は、使用会員に対する契約同意などの受信処理のフローチャートである。使用会員の端末１から使用会員として契約同意、プロフィール、キーワードを受信したときは、使用会員データベース５に空きエリアを確保して（ステップＳＨ７）、ＩＤおよびパスワードを作成する（ステップＳＨ８）。次に、ＩＤ、パスワード、プロフィール、キーワードをメール送信バッファにストアして（ステップＳＨ１０）、メールを送信する（ステップＳＨ１１）。また、図３２に示した使用会員として契約された旨の契約確定画面を送付する（ステップＳＨ１２）。
【００６０】
次に、著作物登録処理および著作物仮登録処理について、図６１ないし図６５を参照して説明する。
図６１は、著作物登録処理のフローチャートである。インターネット２を介して任意の端末１から著作物登録の要求を受信したときは、ＩＤおよびパスワードが著作権会員データベース４にあるか否かを判別する（ステップＳＪ１）。著作権会員データベース４にある場合には、図２２に示した著作物の登録ページを送付する（ステップＳＪ２）。一方、ＩＤおよびパスワードが著作権会員データベース４にない場合には、そのＩＤおよびパスワードが使用者会員データベース５にあるか否かを判別する（ステップＳＪ３）。使用者会員データベース５にある場合には、使用者による仮登録の要求であるので、図４１に示した仮登録ページを送付する（ステップＳＪ４）。
図６２は、登録カテゴリ受信処理のフローチャートである。著作会員の端末１から登録カテゴリを受信したときは、受信カテゴリに対応する図２３の著作会員用のカテゴリ画面を送付する（ステップＳＪ５）。
図６３は、仮登録カテゴリ受信処理のフローチャートである。使用会員の端末１から仮登録カテゴリを受信したときは、受信カテゴリに対応する図４２の使用会員用のカテゴリ画面を送付する（ステップＳＪ６）。
【００６１】
次に、著作物登録要求処理および著作物仮登録処理について説明する。
図６４は、著作物登録要求処理のフローチャートである。著作会員の端末１からプロフィール、カテゴリ、および著作物登録の要求を受信したときは、著作物登録データベース４に空きエリアを確保して（ステップＳＫ１）、ＩＤを作成する（ステップＳＫ２）。次に、ＩＤ、プロフィール、カテゴリ、使用形態、著作物データをワークＲＡＭにストアする（ステップＳＫ３）。次に、仮登録エリアに同一の著作物があるか否かを判別し（ステップＳＫ４）、同一の著作物がある場合には、仮登録エリアの対応するデータを消去する（ステップＳＫ５）。そして、仮登録の著作物を消去した旨の仮登録者用のメールを作成して（ステップＳＫ６）、そのメールを送付する（ステップＳＫ７）。したがって、仮登録者が自由に使用できるとして暫定的に設定した三ヶ月の期間内にかかわらず、この時から後はその著作物を自由に使用することはできない。
ステップＳＫ７において、仮登録の著作物を消去した旨のメールを送付した後、又は、ステップＳＫ４において仮登録エリアに登録要求の著作物と同一のものがない場合には、著作権者用のメールを作成して（ステップＳＫ８）、そのメールを送付する（ステップＳＫ９）。この後は、図２６に示した終了画面を送付する（ステップＳＫ１０）。
【００６２】
図６５は、著作物仮登録要求処理のフローチャートである。使用会員の端末１からプロフィール、カテゴリ、および著作物仮登録の要求を受信したときは、著作物登録データベース４の仮登録エリアに空きエリアを確保して（ステップＳＫ１１）、仮ＩＤを作成する（ステップＳＫ１２）。次に、仮ＩＤ、プロフィール、カテゴリ、使用形態、著作物データをワークＲＡＭにストアする（ステップＳＫ１３）。次に、著作物を仮登録した旨の使用会員用のメールを作成して（ステップＳＫ１４）、そのメールを送付する（ステップＳＫ１５）。したがって、その使用会員は三ヶ月の期間内に限り、その著作物を自由に使用できる。次に、著作権者用のメールを作成して（ステップＳＫ１６）、そのメールを送付する（ステップＳＫ１７）。この後は、図４５に示した仮終了画面を送付する（ステップＳＫ１８）。
【００６３】
次に、著作物の検索処理について、図６６ないし図７３を参照して説明する。
図６６は、検索要求受信処理などのフローチャートである。端末１から検索要求、ＩＤ、パスワードを受信したときは、図３３に示したカテゴリ選択画面を送付する（ステップＳＬ１）。
図６７は、検索カテゴリ受信処理のフローチャートである。端末１から検索カテゴリを受信したときは、図３４に示した検索画面を送付する（ステップＳＬ２）。
図６８は、検索データ受信のフローチャートである。端末１から検索データを受信したときは、その検索データに基づき著作物データベース６を検索する（ステップＳＬ３）。次に、検索された著作物の使用形態データに基づき、検索結果画面を作成して（ステップＳＬ４）、図３５に示した検索結果画面を送付する（ステップＳＬ５）。
図６９は、許諾願い受信処理のフローチャートである。検索画面を送付した端末１から「○」のマークの使用形態を受信したときは、許諾データベース７に空きエリアを確保して（ステップＳＬ６）、必要なデータをストアする（ステップＳＬ７）。次に、許諾画面を作成して（ステップＳＬ８）、許諾メールを作成し（ステップＳＬ９）、検索者に送付する（ステップＳＬ１０）。
図７０は、許諾願い受信処理のフローチャートである。検索画面を送付した端末１から「△」のマークの使用形態を受信したときは、図３７に示した適正判断画面を送付する（ステップＳＬ１１）。
図７１は、材料判断要求受信処理のフローチャートである。適正判断画面を送付した端末１から材料判断要求を受信したとき、例えば、著作物をコマーシャル放送用の録音に使用する場合に、図３８に示したキューシートおよび作品の内容を受信したときは、その使用形態が使用可能か否かについて権利者の判断を仰ぐために、判断依頼メールを作成して（ステップＳＬ１２）、そのメールを権利者に送付する（ステップＳＬ１３）。
図７２は、権利者からのメール受信処理のフローチャートである。判断依頼メールを送付した権利者からメールを受信したときは、判断依頼の使用形態が許諾可能か否かを判別する（ステップＳＬ１４）。許諾可能である場合には、図３８に示したような許諾可能画面を作成する（ステップＳＬ１５）。一方、許諾が可能でない場合には、図４０に示したような許諾不可の画面を作成する（ステップＳＬ１６）。そして、作成した画面を送付する（ステップＳＬ１７）。
図７３は、適正判断後における許諾願いの受信処理のフローチャートである。図３８に示したような許諾可能画面を送付した端末１から許諾願いを受信したときは、許諾データベース７に空きエリアを確保して（ステップＳＬ１８）、必要なデータをストアする（ステップＳＬ１９）。次に、許諾画面を作成し（ステップＳＬ２０）、それを添付したメールを作成する（ステップＳＬ２１）。そして、検索者にそのメールを送付する（ステップＳＬ２２）。
図７４は、許諾データベース７の登録内容を示す図である。各許諾エリアには、その許諾データのＩＤ、著作物ＩＤ、使用会員ＩＤ、カテゴリ、使用形態がストアされている。
【００６４】
次に、支払申請処理について説明する。
図７５は、支払申請受信処理のフローチャートである。端末１から図１５の初期画面において、選択された支払申請を受信したときは、ＩＤにより許諾データベース７を検索する（ステップＳＭ１）。そして、支払申請画面を作成して（ステップＳＭ２）、支払申請画面を送付する（ステップＳＭ３）。
図７６は、申請データ受信処理のフローチャートである。図４６に示した支払申請画面を送付した端末１から、その空欄を埋めた申請データを受信したときは、請求書を作成し（ステップＳＭ１）、その請求書を添付したメールを作成し（ステップＳＭ２）、申請者に送付する（ステップＳＭ３）。
【００６５】
図７７は、タイマインタラプトのフローチャートである。一定時間ごとのタイマインタラプトが入ると、現在時刻を取得して（ステップＳＮ１）、著作物の仮登録エリアを検索する（ステップＳＮ２）。暫定的に使用を許諾した仮登録の著作物で三ヶ月を経過したものがあるか否かを判別し（ステップＳＮ３）、三ヶ月を経過したものがある場合には、その著作物を削除する（ステップＳＮ４）。
【００６６】
なお、上記実施形態においては、著作物の権利者として著作権者を想定したが、著作権法においては、著作物の創作者ではないが、著作物の実演家、レコード製作者、放送事業者および有線放送事業者などについても、著作物の伝達機能を果たしている上、このような伝達においても著作物の創作に準じる創作的な作用があるので、これらの伝達者に対して著作隣接権を認めている。したがって、本発明において、著作隣接権を有する権利者についても、著作権者と同等に扱うことにしている。
【００６７】
以上のように、上記実施形態によれば、サーバー３は、インターネット２を介して接続された任意の端末１から著作物の登録申し込みを受信したときに、その著作物の使用形態の条件が付加されている場合には、著作物および使用形態の条件を著作物データベース６に登録して、著作物データベース６に登録されている任意の著作物に対して、他の任意の端末１から使用の許諾申し込みが受信されたときは、許諾申し込みに係る著作物の使用形態が登録された使用形態の条件に適合するか又は不適合であるかを判定して、その判定結果に応じて許諾通知又は許諾不可通知を許諾申し込みの端末１に対して送信する。
したがって、インターネット２を介して任意の端末１から著作物の使用申し込みがあった場合に、著作権者および著作隣接権の権利者の意に沿わない使用を防止できるという効果、および、使用希望のある著作物の著作権者が分からない場合でも、暫定的にその著作物を使用できる。
【００６８】
また、上記実施形態によれば、登録申し込みの著作物の使用形態として著作物の著作権者又は著作隣接権の権利者から受信したカテゴリの嗜好情報を著作物データベースに登録する。
したがって、著作権者又は著作隣接権の権利者の嗜好に沿わない使用形態を、著作権者にいちいち確認を取るような煩雑な手続きを踏むことなく自動的に防止できる。
さらに、カテゴリの嗜好情報として、著作物の著作権者又は著作隣接権の権利者から受信したキーワードを著作物データベースに登録する。
したがって、著作権者又は著作隣接権の権利者の嗜好に沿わない使用形態を、キーワードによって細かく判断できる。
【００６９】
また、上記実施形態によれば、許諾申し込みの著作物の使用形態が登録された使用形態の条件に適合するか又は不適合であるかを判定できない場合には、著作物の著作権者又は著作隣接権の権利者の端末１に対して許諾申し込みに係る使用形態を送信し、その端末１からの使用許可又は使用不可の回答を許諾申し込みの端末１に対して送信する。
したがって、著作物の使用形態が著作権者又は著作隣接権の権利者の嗜好に沿わないかどうかを、サーバー３がすべて自動的に判断するのではなく、明確な判断が下せない場合には、権利者に確認することで、すべてを自動的な判断によって生じる誤りを解消できる。
【００７０】
また、上記実施形態によれば、著作権者および著作隣接権の権利者でない者から著作物の仮登録申し込みを受信したときは、三ヶ月の範囲内に限ってその著作物を著作物データベース６に仮登録し、その許諾通知を仮登録申し込みの端末１に対して送信する。
したがって、協会サイトに登録されていない著作物についても、使用会員がその著作物を使用したい場合には、ある程度の期間に限定して、その著作物の使用を許諾することにより、使用会員の要望を満たすとともに、著作物の有効利用を図ることができる。
また、この場合に、仮登録した著作物の著作権者又は著作隣接権の権利者から仮登録した著作物に対する使用禁止の通知を受信したときは、その限定した期間にかかわらず仮登録を抹消し、仮登録に対する許諾通知を送信した端末１に対して仮登録した著作物の抹消通知および許諾不可通知を送信する。
したがって、暫定的に使用を許諾した仮登録の著作物であっても、著作権者および著作隣接権の権利者が登録した場合には許諾を取り消すので、本来の著作権の保護から逸脱することがない。
【００７１】
なお、上記実施形態においては、サーバー３のプログラムＲＯＭにあらかじめ記憶した著作権管理のプログラムを実行する構成について説明したが、フレキシブルディスク（ＦＤ）、ＣＤ、ＭＤなどの記憶媒体に記録されている著作権管理のプログラムをサーバー３の不揮発性メモリにインストールしたり、インターネットなどのネットワークからダウンロードした著作権管理のプログラムをインストールして、そのプログラムをサーバー３のＣＰＵが実行することも可能である。この場合には、プログラムの発明やそのプログラムを記録した記録媒体の発明を実現できる。
【００７２】
すなわち、本発明による著作権管理のプログラムは、
ネットワークを介して接続された任意の通信端末から申し込みを受信する第１のステップと、前記第１のステップによって著作物の登録申し込みが受信されたときに、当該著作物の使用形態の条件が付加されている場合には、当該著作物および当該使用形態の条件を著作物データベースに登録する第２のステップと、前記第１のステップによって前記著作物データベースに登録されている任意の著作物に対して使用の許諾申し込みが受信されたときは、当該許諾申し込みに係る著作物の使用形態が登録された使用形態の条件に適合するか又は不適合であるかを判定する第３のステップと、前記第３のステップの判定結果に応じて許諾通知又は許諾不可通知を当該許諾申し込みの通信端末に対して送信する第４のステップと、を実行する。
【００７３】
前記第２のステップは、著作物の登録申し込みの通信端末から受信した当該著作物の著作権者又は著作隣接権の権利者によるカテゴリの嗜好情報を前記登録申し込みの著作物の使用形態として前記著作物データベースに登録することを特徴とする。
この場合において、前記第２のステップは、さらに前記カテゴリの嗜好情報として、前記著作物の登録申し込みの通信端末から受信した当該著作物の著作権者又は著作隣接権の権利者によるキーワードを前記登録申し込みの著作物の使用形態として前記著作物データベースに登録することを特徴とする。
【００７４】
前記第３のステップは、前記許諾申し込みの著作物の使用形態が登録された使用形態の条件に適合するか又は不適合であるかを判定できない場合には、当該著作物の登録申し込みの通信端末に対して前記許諾申し込みに係る使用形態を送信し、当該通信端末からの使用可能又は使用不可の回答を前記許諾申し込みの通信端末に対して送信することを特徴とする。
【００７５】
前記第２のステップは、著作権者および著作隣接権の権利者でない者から著作物の仮登録申し込みを受信したときは、所定の期間の範囲内に限定して当該著作物を著作物データベースに仮登録し、当該仮登録申し込みの通信端末に対して使用許諾通知を送信することを特徴とする。
この場合において、前記第２のステップは、仮登録した著作物の著作権者又は著作隣接権の権利者から当該仮登録した著作物に対する使用禁止の通知を受信したときは、前記所定の期間にかかわらず当該仮登録を抹消し、当該仮登録した著作物の使用許諾通知を送信した通信端末に対して当該仮登録した著作物の抹消通知および使用不可通知を送信することを特徴とする。
【図面の簡単な説明】
【００７６】
【図１】本発明の実施形態における著作権管理システムの構成を示す図。
【図２】図１の著作権管理システムのデータベースに登録されているデータを示す図。
【図３】図１における端末のメインルーチンのフローチャート。
【図４】図３に続く端末のメインルーチンのフローチャート。
【図５】端末のメインルーチンにおける会員登録のフローチャート。
【図６】図５に続く会員登録のフローチャート。
【図７】図６に続く会員登録のフローチャート。
【図８】メインルーチンにおける著作物登録処理のフローチャート。
【図９】図８に続く著作物登録処理のフローチャート。
【図１０】図８に続く著作物登録処理のフローチャート。
【図１１】端末のメインルーチンにおける著作物検索処理のフローチャート。
【図１２】図１１に続く著作物検索処理のフローチャート。
【図１３】図１２に続く著作物検索処理のフローチャート。
【図１４】端末のメインルーチンにおける支払申請処理のフローチャート。
【図１５】協会サイトの初期画面の図。
【図１６】著作会員用の会員規約に対する同意画面の図。
【図１７】著作会員用の会員登録画面の図。
【図１８】著作会員用のカテゴリ選択画面の図。
【図１９】著作会員用のキーワード入力画面の図。
【図２０】著作会員用の信託契約画面の図。
【図２１】著作会員用の契約終了画面の図。
【図２２】著作会員用のカテゴリ登録画面の図。
【図２３】著作会員用の音楽著作物の使用形態選択画面の図。
【図２４】著作会員用の画像著作物の使用形態選択画面の図。
【図２５】著作会員用の人物著作物の使用形態選択画面の図。
【図２６】著作会員用の著作物の登録終了画面の図。
【図２７】使用会員用の規約に対する同意画面の図。
【図２８】使用会員用の会員登録画面の図。
【図２９】使用会員用のカテゴリ選択画面の図。
【図３０】使用会員用のキーワード入力画面の図。
【図３１】使用会員用の使用基本契約画面の図。
【図３２】使用会員用の契約終了画面の図。
【図３３】著作物の検索画面の図。
【図３４】検索著作物の入力画面の図。
【図３５】著作物の検索結果画面の図。
【図３６】著作物に対する使用許諾画面の図。
【図３７】著作物の使用形態の入力画面の図。
【図３８】著作物の使用形態に対する許諾願画面の図。
【図３９】著作物の使用形態に対する使用可能通知画面の図。
【図４０】著作物の使用形態に対する使用不可通知画面の図。
【図４１】著作物の仮登録画面の図。
【図４２】音楽著作物の仮登録画面の図。
【図４３】画像著作物の仮登録画面の図。
【図４４】人物著作物の仮登録画面の図。
【図４５】著作物の仮登録通知画面の図。
【図４６】支払申請画面の図。
【図４７】サーバーのサイト接続処理のフローチャート。
【図４８】サーバーの同意画面要求処理のフローチャート。
【図４９】サーバーの同意受信処理のフローチャート。
【図５０】サーバーの第２画面送付処理のフローチャート。
【図５１】サーバーのカテゴリ受信処理のフローチャート。
【図５２】サーバーの信託画面要求処理のフローチャート。
【図５３】サーバーの契約同意受信処理のフローチャート。
【図５４】サーバーのサイト接続処理のフローチャート。
【図５５】サーバーの同意画面要求受信処理のフローチャート。
【図５６】サーバーの同意受信処理のフローチャート。
【図５７】サーバーの第２登録画面送付処理のフローチャート。
【図５８】サーバーのカテゴリ画面送付処理のフローチャート。
【図５９】サーバーの信託画面要求処理のフローチャート。
【図６０】サーバーの契約同意受信処理のフローチャート。
【図６１】サーバーの著作物登録要求受信処理のフローチャート。
【図６２】サーバーの登録カテゴリ受信処理のフローチャート。
【図６３】サーバーの仮登録カテゴリ受信処理のフローチャート。
【図６４】サーバーの著作物登録要求受信処理のフローチャート。
【図６５】サーバーの著作物仮登録要求受信処理のフローチャート。
【図６６】サーバーの検索要求受信処理のフローチャート。
【図６７】サーバーの検索カテゴリ受信処理のフローチャート。
【図６８】サーバーの検索データ受信処理のフローチャート。
【図６９】サーバーの許諾願受信処理のフローチャート。
【図７０】サーバーの許諾願受信処理のフローチャート。
【図７１】サーバーの材料判断要求受信処理のフローチャート。
【図７２】サーバーの権利者メール受信処理のフローチャート。
【図７３】サーバーの適正判断後の許諾願受信処理のフローチャート。
【図７４】図１の許諾データベースのデータの内容を示す図。
【図７５】サーバーの支払申請受信処理のフローチャート。
【図７６】サーバーの申請データ受信処理のフローチャート。
【図７７】サーバーのタイマインタラプトのフローチャート。
【符号の説明】
【００７７】
１  端末
２  インターネット
３  ーサーバー
４  著作会員データベース
５  使用会員データベース
６  著作物データベース
７  許諾データベース
【図１】
2006127347.tif 000003
【図２】
2006127347.tif 000004
【図３】
2006127347.tif 000005
【図４】
2006127347.tif 000006
【図５】
2006127347.tif 000007
【図６】
2006127347.tif 000008
【図７】
2006127347.tif 000009
【図８】
2006127347.tif 000010
【図９】
2006127347.tif 000011
【図１０】
2006127347.tif 000012
【図１１】
2006127347.tif 000013
【図１２】
2006127347.tif 000014
【図１３】
2006127347.tif 000015
【図１４】
2006127347.tif 000016
【図１５】
2006127347.tif 000017
【図１６】
2006127347.tif 000018
【図１７】
2006127347.tif 000019
【図１８】
2006127347.tif 000020
【図１９】
2006127347.tif 000021
【図２０】
2006127347.tif 000022
【図２１】
2006127347.tif 000023
【図２２】
2006127347.tif 000024
【図２３】
2006127347.tif 000025
【図２４】
2006127347.tif 000026
【図２５】
2006127347.tif 000027
【図２６】
2006127347.tif 000028
【図２７】
2006127347.tif 000029
【図２８】
2006127347.tif 000030
【図２９】
2006127347.tif 000031
【図３０】
2006127347.tif 000032
【図３１】
2006127347.tif 000033
【図３２】
2006127347.tif 000034
【図３３】
2006127347.tif 000035
【図３４】
2006127347.tif 000036
【図３５】
2006127347.tif 000037
【図３６】
2006127347.tif 000038
【図３７】
2006127347.tif 000039
【図３８】
2006127347.tif 000040
【図３９】
2006127347.tif 000041
【図４０】
2006127347.tif 000042
【図４１】
2006127347.tif 000043
【図４２】
2006127347.tif 000044
【図４３】
2006127347.tif 000045
【図４４】
2006127347.tif 000046
【図４５】
2006127347.tif 000047
【図４６】
2006127347.tif 000048
【図４７】
2006127347.tif 000049
【図４８】
2006127347.tif 000050
【図４９】
2006127347.tif 000051
【図５０】
2006127347.tif 000052
【図５１】
2006127347.tif 000053
【図５２】
2006127347.tif 000054
【図５３】
2006127347.tif 000055
【図５４】
2006127347.tif 000056
【図５５】
2006127347.tif 000057
【図５６】
2006127347.tif 000058
【図５７】
2006127347.tif 000059
【図５８】
2006127347.tif 000060
【図５９】
2006127347.tif 000061
【図６０】
2006127347.tif 000062
【図６１】
2006127347.tif 000063
【図６２】
2006127347.tif 000064
【図６３】
2006127347.tif 000065
【図６４】
2006127347.tif 000066
【図６５】
2006127347.tif 000067
【図６６】
2006127347.tif 000068
【図６７】
2006127347.tif 000069
【図６８】
2006127347.tif 000070
【図６９】
2006127347.tif 000071
【図７０】
2006127347.tif 000072
【図７１】
2006127347.tif 000073
【図７２】
2006127347.tif 000074
【図７３】
2006127347.tif 000075
【図７４】
2006127347.tif 000076
【図７５】
2006127347.tif 000077
【図７６】
2006127347.tif 000078
【図７７】
2006127347.tif 000079